(57)【要約】【課題】コネクタ装置に装着されたものが、カードが装着されるハウジングなのか、それとも直接にコネクタ装置に装着されたカードなのかを、コネクタ装置に容易に識別させることができるカード用アダプタの提供。【解決手段】コネクタ装置のカード挿入部に適合する幅寸法を有し、装着されるカード１の接触パッド３が形成される面側が開放されたハウジング１０を備えるとともに、コネクタ装置に装着させたものが、カード１が装着されるハウジング１０であることをコネクタ装置に識別させる識別部１１ｇを備え、この識別部１１ｇを金属枠体１１の側部１１ｃの張り出し部１１ｅから延設させて形成した構成にしてある。【選択図】図８
2007034565.tif 000002
【特許請求の範囲】
【請求項１】
コネクタ装置のカード挿入部に適合する幅寸法を有し、装着されるカードの接触部が形成される面側が開放されたハウジングを備えるとともに、
上記コネクタ装置が上記ハウジングが装着されたことを識別可能とする識別部を備えたことを特徴とするカード用アダプタ。
【請求項２】
上記請求項１記載の発明において、
上記ハウジングが樹脂より成り、この樹脂製のハウジングに埋設され、上記カードの幅寸法とほぼ同等の幅寸法を形成させる両側部を有し、上記カードの挿入を許容させる金属枠体を備え、
上記識別部を上記金属枠体に形成したことを特徴とするカード用アダプタ。
【請求項３】
上記請求項２記載の発明において、
上記識別部を、上記金属枠体の側部を延設して形成したことを特徴とするカード用アダプタ。
【請求項４】
上記請求項２項記載の発明において、
上記識別部を、上記金属枠体の底部に形成したことを特徴とするカード用アダプタ。
【発明の詳細な説明】
【技術分野】
【０００１】
本発明は、信号の送受信に活用される接触部を有するカードが装着された状態で、コネクタ装置に挿入されるカード用アダプタに関する。
【背景技術】
【０００２】
この種の従来技術として、特許文献１に示されるものがある。この従来技術は、コネクタ装置に直接に装着されるカードと同等の幅寸法、つまりコネクタ装置のカード挿入部に適合する幅寸法を有するアダプタ本体、すなわちハウジングを備えている。このハウジングに装着されるカードは、コネクタ装置に直接に装着されるカードよりも小さく、例えば１／２以下の大きさに設定されている。また、このカードは信号の送受信に活用される接続端子、すなわち接触部と、この接触部を保持し、外殻を形成する樹脂フレームとを備えている。
【０００３】
ハウジングは、カードが装着された際に、カードの接触部が形成された面側が開放されるように形成されている。このハウジングのスロット部、すなわちカード挿入部は凹状に形成されており、下面は強度を確保するために非磁性金属薄板で形成されている。
【特許文献１】特開２０００−２７６５７３公報
【発明の開示】
【発明が解決しようとする課題】
【０００４】
上述した従来技術は、カードが装着されるハウジングと、コネクタ装置に直接に装着される別のカードとをコネクタ装置に識別させることには考慮がなされていない。このようなコネクタ装置による異なるカードの識別が可能になれば、異なるカードそれぞれ毎の特有の信号処理が可能になり、情報処理機能のさらなる向上が期待できる。
【０００５】
本発明は、上述した従来技術における実状からなされたもので、その目的は、コネクタ装置に装着されたものが、カードが装着されるハウジングなのか、それとも直接にコネクタ装置に装着されたカードなのかを、コネクタ装置に容易に識別させることができるカード用アダプタを提供することにある。
【課題を解決するための手段】
【０００６】
この目的を達成するために、本発明は、コネクタ装置のカード挿入部に適合する幅寸法を有し、装着されるカードの接触部が形成される面側が開放されたハウジングを備えるとともに、上記コネクタ装置が上記ハウジングが装着されたことを識別可能とする識別部を備えたことを特徴としている。
【０００７】
このように構成した本発明は、カードを装着したハウジングをコネクタ装置に挿入した際に、識別部によって挿入されたものが、カードが装着されるハウジングであることが、そのコネクタ装置に識別される。すなわち、識別部の有無に応じてコネクタ装置に装着されたカードが、ハウジングに装着されたカードであるのか、それともコネクタ装置に直接に装着された別のカードであるのかを、そのコネクタ装置に識別させることができる。これにより、コネクタ装置に装着される異なるカードそれぞれ毎に特有の信号処理の実現が可能となる。
【０００８】
また本発明は、上記発明において、上記ハウジングが樹脂より成り、この樹脂製のハウジングに埋設され、上記カードの幅寸法とほぼ同等の幅寸法を形成させる両側部を有し、上記カードの挿入を許容させる金属枠体を備え、上記識別部を上記金属枠体に形成したことを特徴としている。
【０００９】
このように構成した本発明は、カードと樹脂製のハウジングとの間に金属枠体の側部を介在させることができるので、カードの側部とハウジングの側部とが接触せず、繰り返し行なわれるハウジングへのカードの装着に際して、カードの接触によるハウジングのへたりや摩耗を生じる虞がなく、したがって長期間にわたって、カードの側部の部分に隙間を生じることがなく、ハウジングにカードを安定して保持させることができる。また、金属枠体を活用して識別部を形成するので、この識別部を形成させるための特別な部材を要することがなく、簡単な構成とすることができる。
【００１０】
また本発明は、上記発明において、上記識別部を、上記金属枠体の側部を延設して形成したことを特徴としている。このように構成した本発明は、識別部を簡単に形成できる。
【００１１】
また本発明は、上記発明において、上記識別部を、上記金属枠体の底部に形成したことを特徴としている。このように構成した本発明も、識別部を簡単に形成できる。
【発明の効果】
【００１２】
本発明は、識別部を介してコネクタ装置に装着されたカード種別の識別がコネクタ装置によって可能となる。すなわち、識別部を介してコネクタ装置に装着されたものが、カードが装着されるハウジングであることをコネクタ装置に識別させることができる。つまり、識別部の有無によってコネクタ装置に装着されたカードが、ハウジングに装着されたカードであるのか、それとも直接にコネクタ装置に装着された別のカードであるのかを、コネクタ装置に識別させることができる。これにより、コネクタ装置に装着される異なるカードそれぞれ毎に特有の信号処理の実現が可能となり、従来に比べて優れた情報処理機能を確保できる。
【発明を実施するための最良の形態】
【００１３】
以下，本発明に係るカード用アダプタを実施するための最良の形態を図に基づいて説明する。
【００１４】
［本実施形態に使用されるカード］
図１は本発明に係るカード用アダプタの一実施形態に使用されるカードを示す図で、（ａ）図は平面図、（ｂ）図は側面図である。
【００１５】
この図１に示す本実施形態で使用されるメモリカード、すなわちカード１は、例えば図示しないコネクタ装置に直接に装着される図示しないカードと同等の奥行き寸法を有し、上述の図示しないカードに比べて幅寸法が小さく設定されている。
【００１６】
このカード１は、図１に示すように、奥側に位置する奥側部分２に、図示しないコネクタ装置の接続端子と接触して信号の送受信に活用される複数の接触部３を備えている。また、奥側端部４には幅方向に沿ってテーパ部４ａが形成され、このテーパ部４ａの両端には曲面部４ｂが形成されている。奥側端部４の端面４ｃは、同図１の（ｂ）図に示すように平坦面となっている。さらにカード１の側部には、凹部５と切り欠き部６とが形成されている。
【００１７】
［本実施形態の構成］
図２は本実施形態の構成を示す図で、（ａ）図は平面図、（ｂ）図は側面図、（ｃ）図は正面図、（ｄ）図は背面図である。図３は本実施形態の裏面図である。図４は本実施形態にカードが装着された際における金属枠体の底部を除いた状態を示す裏面図、図５は図２の（ａ）図のＢ矢視拡大図である。本実施形態のカード用アダプタは、ハウジング１０と、このハウジング１０に埋設される金属枠体１１とによって構成されている。
【００１８】
［ハウジングの構成］
図２に示すように、本実施形態に備えられるハウジング１０は、樹脂から成り、図示しないコネクタ装置のカード挿入部に適合する幅寸法を有し、装着されるカードである図１に示すカード１の接触部３が形成される面側が開放された形状になっている。すなわち、同図２の（ｃ）図に示す正面図の上側が開放された形状になっている。
【００１９】
ハウジング１０の手前側には、カード１の挿入口１０ａが形成され、奥側端部１０ｂには、同図２の（ｄ）図に示すように、上述したカード１の奥側端部４が挿入される逃げ部１０ｃが形成されている。このハウジング１０の奥側端部１０ｂの外端面１０ｄは平坦面に形成されている。
【００２０】
ハウジング１０は、同図２の（ａ）図に示すように、後述する金属枠体１１の両側部１１ｂ，１１ｃの外側に配置され、両側部１１ｂ，１１ｃのそれぞれに連設される側壁１０ｅ，１０ｆを備えている。上述したハウジング１０の奥側端部１０ｂは、側壁１０ｅと側壁１０ｆとを接続する接続部を構成している。
【００２１】
また、上述したカード１の切り欠き部６を案内するガイド部１０ｇを備えている。挿入されるカード１と対向する後述の金属枠体１１の表面には、この表面を被覆する樹脂部１０ｈが形成されている。この樹脂部１０ｈは、例えばハウジング１０を製作する際の樹脂の一部によって形成されている。
【００２２】
また、ハウジング１０には、同図２の（ｃ）図に示すように、奥側端部１０ｂの逃げ部１０ｃにカード１の奥側端部４を挿入した際に、カード１の奥側端部４の端面４ｃと、ハウジング１０の奥側端部１０ｂの外端面１０ｄとが同一平面を形成するようにカード１の移動を規制するストッパ部１０ｉ，１０ｊを形成してある。このうちのストッパ部１０ｉは、図４にも示すように、カード１の奥側端部４の曲面部４ｂに適合する曲面形状に形成され、ストッパ部１０ｊはカード１の奥側端部４のテーパ部４ａに適合するテーパ形状に形成してある。
【００２３】
［金属枠体の構成］
上述したハウジング１０に埋設される金属枠体１１は、図２の（ｃ）図に示すように、底部１１ａが外部に露出している。また、底部１１ａから立設された両側部１１ｂ，１１ｃと、これらの側部１１ｂ，１１ｃのそれぞれから横方向の内側に向かって張り出し形成された張り出し部１１ｄ，１１ｅとを有している。これらの底部１１ａ、両側部１１ｂ，１１ｃ、及び張り出し部１１ｄ，１１ｅによって、金属枠体１１は、断面がほぼコ字形状に形成されている。上述した金属枠体１１の両側部１１ｂ，１１ｃは、カード１の幅寸法とほぼ同等の幅寸法を形成するように設定され、これらの両側部１１ｂ，１１ｃ間の上述した樹脂部１０ｈ上に、カード１が挿入されるようになっている。
【００２４】
また、金属枠体１１の両側部１１ｂ，１１ｃによって、カード１の両側部を案内するガイド部が構成されている。なお、金属枠体１１の両側部１１ｂ，１１ｃによって、カードの幅方向、すなわち図２の（ａ）図の左右方向の移動が規制されるとともに、金属枠体１１の底部１１ａと張り出し部１１ｄ，１１ｅとにより、カード１の厚さ方向、すなわち同図２の（ａ）図の紙面と直交する方向の移動が規制される。このように金属枠体１１の両側部１１ｂ，１１ｃと、底部１１ａと、張り出し部１１ｄ，１１ｅは、カード１の移動を規制する規制手段を構成している。
【００２５】
図２の（ａ）図に示すように、この金属枠体１１は、ハウジング１０に装着されたカード１の移動を規制する別の規制手段を構成する係合部１１ｆを備えている。この係合部１１ｆは、例えば金属枠体１１の一部を折り曲げて形成したものであり、カード１の側部に形成された凹部５に係合し、カード挿抜方向、すなわち図２の（ａ）図の前後方向の移動を規制する第１係合片１１ｆ１と、カード１の厚さ方向、すなわち同図２の（ａ）図の紙面と直交する方向の移動を規制する第２係合片１１ｆ２とから成っている。
【００２６】
図５に示すように、第１係合片１１ｆ１と第２係合片１１ｆ２は、金属枠体１１の側部１１ｂの所定の部位において、装着されたカード１の厚さ方向に沿うように、金属枠体１１の一部を複数のスリット１１ｈを設けることにより上下に分割して形成されている。
【００２７】
また、金属枠体１１は、図２の（ａ）図に示すように、図示しないコネクタ装置に装着させたものが、図１に示すカード１が装着されるハウジング１０であることを、コネクタ装置に識別させる識別部１１ｇを備えている。すなわち、金属枠体１１は、コネクタ装置に装着されたカード種別をコネクタ装置によって識別可能とする識別部１１ｇを備えている。
【００２８】
この識別部１１ｇは、図２に示すように、金属枠体１１の一部によって形成されている。すなわち、金属枠体１１の張り出し部１１ｅからさらに横方向へ延設させて形成してあり、図示しないコネクタ装置の所定の接続端子に接触可能になっている。図示しないコネクタ装置の所定の接続端子と識別部１１ｇとが接触することにより、コネクタ装置は、カード１が装着されるアダプタであることを識別することができる。
【００２９】
なお、図９は本実施形態に備えられる識別部１１ｇの別の例を示す裏面図である。この図９に示すように、金属枠体１１の底部１１ａの大部分をその表面と同様に樹脂で覆うようにするとともに、その一部の樹脂だけを除いて金属枠体１１部分を露出させて識別部１１ｇを形成させてもよい。また、金属枠体１１の底部１１ａに形成される識別部１１ｇを、金属枠体１１とは別体の金属板で形成してもよい。
【００３０】
さらに、上記では識別部１１ｇを張り出し部１１ｅから延設させて形成してあるが、張り出し部１１ｄから延設させるようにしてもよく、また、第２係合片１１ｆ２を平板状に形成して識別部１１ｇを兼ねさせるようにしてもよい。
【００３１】
また、本実施形態は、図２，３等に示すように、金属枠体１１のカード１の挿入口側に切り欠き部１１ｉを備えている。これは、ハウジング１０に装着されたカード１を、ハウジング１から引き抜く際にカード１に指を掛けることができるようにしたものである。
【００３２】
［本実施形態へのカードの装着］
図６は本実施形態へのカード挿入時を示す平面図、図７は本実施形態にカードが装着された状態を示す図で、（ａ）図は平面図、（ｂ）図は側面図、（ｃ）図は正面図、（ｄ）図は背面図、図８は本実施形態にカードが装着された状態を示す裏面図である。
【００３３】
本実施形態にカード１を装着させるには、図６に示すようにカード１の奥側端部４をハウジング１０の挿入口１０ａから挿入し、そのカード１を奥方向に向かって押し込めばよい。このカード１の押し込みによって、カード１の奥側端部４がハウジング１０の奥側端部１０ｂの逃げ部１０ｃに挿入され、カード１の奥側端部４のテーパ部４ａが図２の（ｃ）図に示すハウジング１０のテーパ形状のストッパ部１０ｊに係止され、カード１の奥側端部４の曲面部４ｂがハウジング１０の曲面形状のストッパ部１０ｉに係止される。
【００３４】
上述のようにカード１がハウジング１０に挿入されるに際して、カード１の両側部のそれぞれが、金属枠体１１の両側部１１ｂ，１１ｃに案内されるとともに、カード１の切り欠き部６がハウジング１０のガイド部１０ｇに案内される。
【００３５】
図７，８に示すように、カード１がハウジング１０に装着された状態では、カード１の奥側端部４の端面４ｃとハウジング１０の奥側端部１０ｂの外端面１０ｄとが同一平面を形成する。また、カード１の移動が金属枠体１１の両側部１１ｂ，１１ｃと、底部１１ａと、張り出し部１１ｄ，１１ｅとによって規制されるとともに、カード１の側部に形成された凹部５に第１係合片１１ｆ１が係合し、第２係合片１１ｆ２がカード１の表面上に位置し、これらの第１係合片１１ｆ１と第２係合片１１ｆ２とによってもカード１の移動が規制される。
【００３６】
なお、図示しないコネクタ装置のカード挿入口に、カード１が装着されたハウジング１０を挿入する際には、例えば図８の矢印１２で示すように、ハウジング１０に対するカード１の挿入方向とは逆方向に挿入されることになっている。
【００３７】
［本実施形態の作用効果］
このように構成した本実施形態のカード用アダプタによれば、ハウジング１０に装着されるカード１の奥行き寸法が、図示しないコネクタ装置に直接に装着される図示しないカードの奥行き寸法と等しい場合にも、ハウジング１０にカード１を装着させた際に、カード１の奥側端部４がハウジング１０の奥側端部１０ｂの逃げ部１０ｃ内に挿入されるので、この逃げ部１０ｃによってカード１の動きを規制できる。これにより、ハウジング１０にカード１を安定して保持させることが可能になり、優れたカード保持機能を確保できる。
【００３８】
また、ハウジング１０にカード１を装着させる際に、カード１のテーパ部４ａ及び曲面部４ｂのそれぞれがハウジング１０の奥側端部１０ｂに形成したストッパ部１０ｊ及びストッパ部１０ｉのそれぞれに係止されるまで挿入することにより、ハウジング１０に対してカード１を容易に精度良く位置決めさせることができ、カード１の装着が簡単である。
【００３９】
また、識別部１１ｇを介して図示しないコネクタ装置に装着されたカード種別の識別がコネクタ装置によって可能となる。すなわち、カード１を装着したハウジング１０を図示しないコネクタ装置に挿入した際に、金属枠体１１に形成した識別部１１ｇによって、挿入されたものが、カード１が挿入されるハウジング１０であることが図示しないコネクタ装置に識別される。つまり、識別部１１ｇの有無に応じて、コネクタ装置に装着されたカードが、ハウジング１０に装着されたカード１であるのか、それともコネクタ装置に直接に装着された別のカードであるのかを、コネクタ装置に識別させることができる。これにより、コネクタ装置に装着される異なるカードそれぞれ毎に特有の信号処理の実現が可能になり、優れた情報処理機能を確保できる。
【００４０】
また、金属枠体１１の一部である両側１１ｂ，１１ｃ、あるいは底部１１ａなどによって識別部１１ｇを形成するので、この識別部１１ｇを形成させるための特別な部材を要することがなく、簡単な構成とすることができ、製作費の低減に貢献する。
【００４１】
また、カード１と樹脂製のハウジング１０との間に金属枠体１１の側部１１ｂ，１１ｃを介在させることができるので、カード１の側部とハウジング１０の側部とが接触せず、繰り返し行なわれるハウジング１０へのカード１の装着に際して、カード１の接触によるハウジング１０のへたりを生じる虞がない。したがって、長期間にわたって、カード１の側部の部分に隙間を生じることが無い。また、ハウジング１０に装着されたカード１は、金属枠体１１の両側部１１ｂ，１１ｃと、底部１１ａと、張り出し部１１ｄ，１１ｅとによって移動が規制されるとともに、係合部１１ｆによっても移動が規制される。これらにより、長期間にわたってハウジング１０からのカード１の脱落を防ぐことができ、ハウジング１０にカード１を安定して保持させることができ、優れた耐久性を確保できる。
【００４２】
また、第１係合片１１ｆ１と第２係合片１１ｆ２を含む係合部１１ｆも、金属枠体１１の両側部１１ｂ，１１ｃ、あるいは張り出し部１１ｄ，１１ｅなどと同様に特別な部材を設けることなく、金属枠体１１の一部によって簡単に設けることができ、製作費の低減に貢献する。
【００４３】
また、ハウジング１０に装着されたカード１は、金属枠体１１の両側部１１ｂ，１１ｃによってカード１の幅方向の移動が規制され、第１係合片１１ｆ１によってカード挿抜方向の移動が規制され、金属部材１１の底部１１ａと張り出し部１１ｄ，１１ｅ、及び第２係合片１１ｆ２によってカード１の厚さ方向の移動が規制されるので、より確実にカード１をハウジング１０に安定して保持させることができる。
【００４４】
また、金属枠体１１の所定の部位におけるこの金属枠体１１の一部を、上下に分割形成して第１係合片１１ｆ１と第２係合片１１ｆ２とを簡単に設けることができるとともに、これらの第１係合片１１ｆ１と第２係合片１１ｆ２の設置スペースを小さくすることができる。
【００４５】
また、ハウジング１０が金属枠体１１の両側部１１ｂ，１１ｃの外側のそれぞれに側壁１０ｅ，１０ｆを有することから、これらの側壁１０ｅ，１０ｆの形状を適宜に設定することにより、ハウジング１０の幅寸法を図示しないコネクタ装置のカード挿入部に適合する幅寸法に容易に設定することができる。
【００４６】
また、ハウジング１０の両側壁１０ｅ，１０ｆを接続する奥側端部１０ｂから成る接続部を備えていることから、この奥側端部１０ｂによって金属枠体１１の曲げ変形を抑えることができ、金属枠体１１の本来の形状を長期間にわたって維持することができる。
【００４７】
また、ハウジング１０の両側壁１０ｅ，１０ｆを接続する接続部がハウジング１０の一部である奥側端部１０ｂによって構成されているので、特別な部材を設けることなく接続部を形成でき、簡単な構成とすることができ、これによっても製作費の低減に貢献する。
【００４８】
また、ハウジング１０に装着されたカード１を引き抜く際に、金属枠体１１の切り欠き部１１ｉに指を挿入させることにより、容易にカード１を引き抜くことができ、使い勝手がよい。
【００４９】
また、カード１をハウジング１０に挿入するに際して、カード１が樹脂部１０ｈに接触することにより、カード１の円滑な挿入を実現できるとともに、繰り返し行われるハウジング１０へのカード１の装着に伴うカード１の損耗を抑えることができる。また、樹脂部１０ｈにより、カード１と金属枠体１１との短絡を防止できる。
【図面の簡単な説明】
【００５０】
【図１】本発明に係るカード用アダプタの一実施形態に使用されるカードを示す図で、（ａ）図は平面図、（ｂ）図は側面図である。
【図２】本実施形態の構成を示す図で、（ａ）図は平面図、（ｂ）図は側面図、（ｃ）図は正面図、（ｄ）図は背面図である。
【図３】本実施形態の裏面図である。
【図４】本実施形態にカードが装着された際における金属枠体の底部を除いた状態を示す裏面図である。
【図５】図２の（ａ）図のＢ矢視拡大図である。
【図６】本実施形態へのカード挿入時を示す平面図である。
【図７】本実施形態にカードが装着された状態を示す図で、（ａ）図は平面図、（ｂ）図は側面図、（ｃ）図は正面図、（ｄ）図は背面図である。
【図８】本実施形態にカードが装着された状態を示す裏面図である。
【図９】本実施形態に備えられる識別部の別の例を示す裏面図である。
【符号の説明】
【００５１】
１    カード
２    奥側部分
３    接触部
４    奥側端部
４ａ  テーパ部
４ｂ  曲面部
４ｃ  端面
５    凹部
６    切り欠き部
１０    ハウジング
１０ａ  挿入口
１０ｂ  奥側端部
１０ｃ  逃げ部
１０ｄ  外端面
１０ｅ  側壁
１０ｆ  側壁
１０ｇ  ガイド部
１０ｈ  樹脂部
１０ｉ  ストッパ部
１０ｊ  ストッパ部
１１    金属枠体
１１ａ  底部（規制手段）
１１ｂ  側部（規制手段）
１１ｃ  側部（規制手段）
１１ｄ  張り出し部（規制手段）
１１ｅ  張り出し部（規制手段）
１１ｆ  係合部（規制手段）
１１ｆ１  第１係合片
１１ｆ２  第２係合片
１１ｇ  識別部
１１ｈ  スリット
１１ｉ  切り欠き部
１２    矢印
【図１】
2007034565.tif 000003
【図２】
2007034565.tif 000004
【図３】
2007034565.tif 000005
【図４】
2007034565.tif 000006
【図５】
2007034565.tif 000007
【図６】
2007034565.tif 000008
【図７】
2007034565.tif 000009
【図８】
2007034565.tif 000010
【図９】
2007034565.tif 000011